(57)【要約】【課題】無線ＩＣタグとして有効化するか無効化するかを選択することができる無線ＩＣタグ構成要素を提供する。【解決手段】無線ＩＣタグ構成要素２０は、ＩＣチップ３２を含む第１の層３０と、ＩＣチップ３２と接続されて無線ＩＣタグを構成するアンテナ回路３５を含む第２の層４０と、第１の層３０と第２の層４０との間に配置され、第１の層３０と第２の層４０との間から除去可能に構成された絶縁層５０と、を有する。【選択図】図２
2018061122.tif 000002
【特許請求の範囲】
【請求項１】
ＩＣチップを含む第１の層と、
前記ＩＣチップと接続されて無線ＩＣタグを構成するアンテナ回路を含む第２の層と、
前記第１の層と前記第２の層との間に配置され、前記第１の層と前記第２の層との間から除去可能に構成された絶縁層と、を有する、無線ＩＣタグ構成要素。
【請求項２】
ＩＣチップと、前記ＩＣチップと接続されておりアンテナ回路の一部をなす第１回路とを含む第１の層と、
前記第１回路と接続されて前記第１回路とともに前記アンテナ回路を構成する第２回路を含む第２の層と、
前記第１の層と前記第２の層との間に配置され、前記第１の層と前記第２の層との間から除去可能に構成された絶縁層と、を有する、無線ＩＣタグ構成要素。
【請求項３】
前記第１の層における前記絶縁層に対面する面、及び、前記第２の層における前記絶縁層に対面する面、の少なくとも一方に粘着層が設けられている、請求項１又は２に記載の無線ＩＣタグ構成要素。
【請求項４】
前記粘着層は、少なくとも、前記ＩＣチップと前記アンテナ回路との接続部、又は、前記第１回路と前記第２回路との接続部、を除いて設けられている、請求項３に記載の無線ＩＣタグ構成要素。
【請求項５】
第１方向に沿って複数の無線ＩＣタグ構成要素が積層された無線ＩＣタグ構成要素積層体であって、
各無線ＩＣタグ構成要素は、請求項１〜４の何れかに記載の無線ＩＣタグ構成要素である、無線ＩＣタグ構成要素積層体。
【請求項６】
前記第１方向に沿った一側からｎ番目の前記無線ＩＣタグ構成要素の前記第１の層及び前記第２の層と、ｎ＋１番目の前記無線ＩＣタグ構成要素の前記絶縁層とが連結されている、請求項５に記載の無線ＩＣタグ構成要素積層体。
【請求項７】
前記第１方向に沿った一側からの観察において、少なくとも１つの前記無線ＩＣタグ構成要素の前記ＩＣチップの配置位置は、他のいずれかの前記無線ＩＣタグ構成要素の前記ＩＣチップの配置位置と異なっている、請求項５又は６に記載の無線ＩＣタグ構成要素積層体。
【請求項８】
請求項１に記載の無線ＩＣタグ構成要素から前記絶縁層を除去し、前記ＩＣチップと前記アンテナ回路とを接続して、前記ＩＣチップ及び前記アンテナ回路を無線ＩＣタグとして機能させる、無線ＩＣタグの有効化方法。
【請求項９】
請求項２に記載の無線ＩＣタグ構成要素から前記絶縁層を除去し、前記第１回路と前記第２回路とを接続して、前記ＩＣチップ、前記第１回路及び前記第２回路を無線ＩＣタグとして機能させる、無線ＩＣタグの有効化方法。
【発明の詳細な説明】
【技術分野】
【０００１】
本発明は、無線ＩＣタグ構成部品、複数の無線ＩＣタグ構成部品が積層された無線ＩＣタグ構成部品積層体、及び、無線ＩＣタグ構成部品を無線ＩＣタグとして機能させる無線ＩＣタグの有効化方法に関する。
【背景技術】
【０００２】
従来、様々な製品の製造現場において、各工程の進捗を把握するために、各工程で帳票を用いて各工程の進捗状況を記録し、この記録を用いて製品のトレーサビリティの確保を図っていた。しかしながら、帳票を用いた記録は作業員が手書き等で行うことから、進捗状況の記録に手間及び時間がかかる。また、作業員による記録では誤記録が生じやすく、進捗状況の記録において信頼性の向上が求められている。
【０００３】
近年、無線ＩＣタグの低価格化や規制緩和により、各工程の進捗状況の記録を、作業員の手書きに代えて無線ＩＣタグを用いて行うことが検討されている（特許文献１、特許文献２）。無線ＩＣタグは、情報の書込み及び読出しが可能なＩＣチップと、ＩＣチップに接続され電波を用いて外部の装置と情報の送受信を行うためのアンテナ回路とを有している。無線ＩＣタグを用いると、各工程において、当該工程が終了した旨等を無線ＩＣタグのアンテナ回路を介して製造装置から無線ＩＣタグのＩＣチップに書込むことができる。また、製造工程中又は製造工程終了後に、無線タグに記憶されている情報を読出し、各工程が正常に終了したことを確認することができる。無線ＩＣタグのＩＣチップへの情報の書込み及びＩＣチップからの情報の読出しは、無線送受信機を用いて自動で行うことができるので、各工程の進捗状況の記録を効率化することができる。また、作業員を介さないことから、誤記録を大幅に減少させることができる。
【先行技術文献】
【特許文献】
【０００４】
【特許文献１】特許第４１１３３２８号公報
【特許文献２】特許第４７０９５６６号公報
【発明の概要】
【発明が解決しようとする課題】
【０００５】
しかしながら、近年ではさらに高度なトレーサビリティを実現することが求められており、例えば、製品の販売後のクレームへの対応や品質保証の観点から、製造終了後の各工程の進捗状況の確認だけでなく、製品の流通段階や販売段階、さらには販売後においても、無線ＩＣタグのＩＣチップに書込まれた情報を有効に利用することが要求されている。
【０００６】
このために、本件発明者らは、１つの製品に複数の無線ＩＣタグを添付しておき、各無線ＩＣタグに対して、それぞれ異なった段階において情報の書込み及び読出しを行うことについて検討している。しかしながら、１つの製品に複数の無線ＩＣタグを添付すると、複数の無線ＩＣタグのうち特定の無線ＩＣタグに対して情報の書込み又は読出しを行おうとすると、当該特定の無線ＩＣタグだけでなく、他の無線ＩＣタグも反応してしまうという不具合が生じることが知見された。
【０００７】
本発明は、このような点を考慮してなされたものであって、無線ＩＣタグとして有効化するか無効化するかを選択することができる無線ＩＣタグ構成要素を提供することを目的とする。
【課題を解決するための手段】
【０００８】
本発明による無線ＩＣタグ構成要素は、
ＩＣチップを含む第１の層と、
前記ＩＣチップと接続されて無線ＩＣタグを構成するアンテナ回路を含む第２の層と、
前記第１の層と前記第２の層との間に配置され、前記第１の層と前記第２の層との間から除去可能に構成された絶縁層と、を有する。
【０００９】
本発明による無線ＩＣタグ構成要素は、
ＩＣチップと、前記ＩＣチップと接続されておりアンテナ回路の一部をなす第１回路とを含む第１の層と、
前記第１回路と接続されて前記第１回路とともに前記アンテナ回路を構成する第２回路を含む第２の層と、
前記第１の層と前記第２の層との間に配置され、前記第１の層と前記第２の層との間から除去可能に構成された絶縁層と、を有する。
【００１０】
本発明による無線ＩＣタグ構成要素において、前記第１の層における前記絶縁層に対面する面、及び、前記第２の層における前記絶縁層に対面する面、の少なくとも一方に粘着層が設けられていてもよい。
【００１１】
本発明による無線ＩＣタグ構成要素において、前記粘着層は、少なくとも、前記ＩＣチップと前記アンテナ回路との接続部、又は、前記第１回路と前記第２回路との接続部、を除いて設けられていてもよい。
【００１２】
本発明による無線ＩＣタグ構成要素積層体は、
第１方向に沿って複数の無線ＩＣタグ構成要素が積層された無線ＩＣタグ構成要素積層体であって、
各無線ＩＣタグ構成要素は、上述の無線ＩＣタグ構成要素である。
【００１３】
本発明による無線ＩＣタグ構成要素積層体において、前記第１方向に沿った一側からｎ番目の前記無線ＩＣタグ構成要素の前記第１の層及び前記第２の層と、ｎ＋１番目の前記無線ＩＣタグ構成要素の前記絶縁層とが連結されていてもよい。
【００１４】
本発明による無線ＩＣタグ構成要素積層体において、前記第１方向に沿った一側からの観察において、少なくとも１つの前記無線ＩＣタグ構成要素の前記ＩＣチップの配置位置は、他のいずれかの前記無線ＩＣタグ構成要素の前記ＩＣチップの配置位置と異なっていてもよい。
【００１５】
本発明による無線ＩＣタグの有効化方法は、上述の無線ＩＣタグ構成要素から前記絶縁層を除去し、前記ＩＣチップと前記アンテナ回路とを接続して、前記ＩＣチップ及び前記アンテナ回路を無線ＩＣタグとして機能させる。
【００１６】
本発明による無線ＩＣタグの有効化方法は、上述の無線ＩＣタグ構成要素から前記絶縁層を除去し、前記第１回路と前記第２回路とを接続して、前記ＩＣチップ、前記第１回路及び前記第２回路を無線ＩＣタグとして機能させる。
【発明の効果】
【００１７】
本発明によれば、無線ＩＣタグとして有効化するか無効化するかを選択することができる無線ＩＣタグ構成要素を提供することができる。
【図面の簡単な説明】
【００１８】
【図１】図１は、本発明による一実施の形態を説明するための図であって、無線ＩＣタグが添付された製品を示す斜視図である。
【図２】図２は、複数の無線ＩＣタグ構成要素が積層された無線ＩＣタグ構成要素積層体を概略的に示す斜視図である。
【図３Ａ】図３Ａは、無線ＩＣタグ構成要素の第１の層を示す平面図である。
【図３Ｂ】図３Ｂは、第１の層の断面を示す図であって、図３ＡのＩＩＩＢ−ＩＩＩＢ線に対応する断面図である。
【図４Ａ】図４Ａは、無線ＩＣタグ構成要素の第２の層を示す平面図である。
【図４Ｂ】図４Ｂは、第２の層の断面を示す図であって、図４ＡのＩＶＢ−ＩＶＢ線に対応する断面図である。
【図５】図５は、無線ＩＣタグ構成要素積層体に含まれる第１構成部品を示す断面図である。
【図６Ａ】図６Ａは、有効化された無線ＩＣタグを含む第１構成部品を示す平面図である。
【図６Ｂ】図６Ｂは、有効化された無線ＩＣタグを含む第１構成部品の断面を示す図であって、図６ＡのＶＩＢ−ＶＩＢ線に対応する断面図である。
【図７】図７は、無線ＩＣタグ構成要素積層体の製造方法を説明するための図である。
【図８Ａ】図８Ａは、無線ＩＣタグの有効化方法を説明するための図である。
【図８Ｂ】図８Ｂは、無線ＩＣタグの有効化方法を説明するための図である。
【図８Ｃ】図８Ｃは、無線ＩＣタグの有効化方法を説明するための図である。
【図９Ａ】図９Ａは、無線ＩＣタグ構成要素の変形例を示す図である。
【図９Ｂ】図９Ｂは、無線ＩＣタグ構成要素の変形例を示す図である。
【発明を実施するための形態】
【００１９】
以下、図面を参照して本発明の一実施の形態について説明する。なお、本明細書に添付する図面においては、図示と理解のしやすさの便宜上、適宜縮尺および縦横の寸法比等を、実物のそれらから変更し誇張してある。
【００２０】
また、本明細書において用いる、形状や幾何学的条件ならびにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２１】
図１〜図９Ｂは、本発明による一実施の形態を説明するための図である。このうち図１は、無線ＩＣタグ構成要素積層体１０が添付された製品５を示す斜視図であり、図２は、無線ＩＣタグ構成要素積層体１０を概略的に示す斜視図である。
【００２２】
図１に示された例では、無線ＩＣタグ構成要素積層体１０は製品５に貼付される。図示された例では、無線ＩＣタグ構成要素積層体１０は製品５の側面に貼付されている。ここで、製品５には、完成品のみならず製造途中の製品も含む。無線ＩＣタグ構成要素積層体１０は、ＩＣチップとＩＣチップに接続されたアンテナ回路とを有する無線ＩＣタグ（有効化された無線ＩＣタグ）を含んでいる。無線ＩＣタグは、外部の装置からの無線信号を受けて、ＩＣチップへの情報の書き込み及びＩＣチップからの情報の読出しが可能であるように構成されている。とりわけ図示された例では、無線ＩＣタグ構成要素積層体１０は、製品５に貼付されたまま製品５を製造するための各工程を通過し、各工程において製造装置等からの無線信号を受けて、当該工程での処理が終了した旨の情報が無線ＩＣタグのＩＣチップに書込まれる。また、製品５の完成後には、無線ＩＣタグのＩＣチップに記憶されている情報が無線読取り装置で読み出され、各製造工程での処理内容の追跡や販売管理等に利用される。なお、本明細書において「ＩＣチップ」とは、パッケージ化されていない半導体チップ（いわゆるベアチップ）だけでなく、半導体チップを含んでパッケージ化された電子部品をも包含するものとする。
【００２３】
図２に示された無線ＩＣタグ構成要素積層体１０は、複数の無線ＩＣタグ構成要素２０（２０ａ〜２０ｄ）を有しており、複数の無線ＩＣタグ構成要素２０は、第１方向ｄ１に沿って積層されている。図示された例では、第１方向ｄ１は、各無線ＩＣタグ構成要素２０のシート面への法線方向と平行をなしており、無線ＩＣタグ構成要素２０の厚み方向と平行をなしている。ここで、本明細書において、「シート面」とは、対象となるシート状の部材を全体的かつ大局的に見た場合において対象となるシート状部材の平面方向と一致する面のことを指す。無線ＩＣタグ構成要素２０は、ＩＣチップ３２を含む第１の層３０と、ＩＣチップ３２と接続されて無線ＩＣタグを構成するアンテナ回路３５を含む第２の層４０と、第１の層３０と第２の層４０との間に配置され、第１の層３０と第２の層４０との間から除去可能に構成された絶縁層５０と、を有している。
【００２４】
無線ＩＣタグ構成要素２０は、第１の層３０と第２の層４０との間に絶縁層５０が配置された状態ではＩＣチップ３２とアンテナ回路３５とが絶縁されており、無線ＩＣタグとしては機能しない。すなわち、無線ＩＣタグ構成要素２０は無線ＩＣタグとして無効化されている。ここで、絶縁層５０は、第１の層３０と第２の層４０との間から除去可能に構成されている。これにより、無線ＩＣタグ構成要素２０において、第１の層３０と第２の層４０との間から絶縁層５０を除去し、第１の層３０に含まれるＩＣチップ３２と第２の層４０に含まれるアンテナ回路３５とを接続することにより、ＩＣチップ３２及びアンテナ回路３５が無線ＩＣタグとして機能するようになる。すなわち、無線ＩＣタグ構成要素２０が無線ＩＣタグとして有効化される。
【００２５】
図３Ａは、無線ＩＣタグ構成要素２０の第１の層３０を示す平面図であり、図３Ｂは、第１の層３０の断面を示す図であって、図３ＡのＩＩＩＢ−ＩＩＩＢ線に対応する断面図である。図示された例では、第１の層３０は、基材３１と、基材３１の一面上に配置されたＩＣチップ３２とを有している。基材３１としては、例えば、紙や、ポリエチレンテレフタレート（ＰＥＴ）等からなる樹脂シートを用いることができる。ＩＣチップ３２の基材３１と反対側の面上には、アンテナ回路３５との接続部をなす図示しない電極部が形成されている。
【００２６】
また、図示された例では、基材３１の一面上に、ＩＣチップ３２が配置される領域を除いて粘着層２８が配置されている。無線ＩＣタグ構成要素２０の第１の層３０におけるＩＣチップ３２及び粘着層２８が配置された側の面は、当該無線ＩＣタグ構成要素２０の絶縁層５０に対面する面をなす。すなわち、図示された例では、第１の層３０における絶縁層５０に対面する面に粘着層２８が設けられている。なお、これに限られず、粘着層２８は、無線ＩＣタグ構成要素２０の第２の層４０における、当該無線ＩＣタグ構成要素２０の絶縁層５０に対面する面に設けられてもよいし、第１の層３０における絶縁層５０に対面する面、及び、第２の層４０における絶縁層５０に対面する面の両方に設けられてもよい。また、粘着層２８は、少なくとも、ＩＣチップ３２とアンテナ回路３５との接続部を除いて設けられることが望ましい。なお、粘着層２８は粘着性を有する層であり、粘着力を発揮し得る種々の材料からなるものを用いることができる。
【００２７】
図４Ａは、無線ＩＣタグ構成要素２０の第２の層４０を示す平面図であり、図４Ｂは、第２の層４０の断面を示す図であって、図４ＡのＩＶＢ−ＩＶＢ線に対応する断面図である。図示された例では、第２の層４０は、基材４１と、基材４１の一面上に配置されたアンテナ回路３５とを有している。基材４１としては、例えば、紙や、ポリエチレンテレフタレート（ＰＥＴ）等からなる樹脂シートを用いることができる。図４Ａに示された例では、アンテナ回路３５は略コイル状に形成され、アンテナ回路３５の端部には、ＩＣチップ３２との接続部をなす電極部３５ａが設けられている。
【００２８】
絶縁層５０は、電気絶縁性を有するシート状の部材である。絶縁層５０としては、例えば樹脂シート、紙等を用いることができる。一例として、樹脂シートとしては、ポリイミド等からなるシートを用いることができ、紙としてはノーメックス（登録商標）紙等を用いることができる。
【００２９】
図２に示された例では、第１方向ｄ１に沿った一側からｎ番目の無線ＩＣタグ構成要素２０の第１の層３０及び第２の層４０と、ｎ＋１番目の無線ＩＣタグ構成要素２０の絶縁層５０とが各層３０，４０，５０の端縁において連結され、第１構成部品６０（６０ａ〜６０ｃ）を構成している。例えば、第１方向ｄ１に沿った一側（図２では上側）から１番目の無線ＩＣタグ構成要素２０ａの第１の層３０及び第２の層４０と、２番目の無線ＩＣタグ構成要素２０ｂの絶縁層５０とが各層３０，４０，５０の端縁において連結され、第１構成部品６０ａを構成している。同様に、第１方向ｄ１に沿った一側から２番目の無線ＩＣタグ構成要素２０ａの第１の層３０及び第２の層４０と、３番目の無線ＩＣタグ構成要素２０ｂの絶縁層５０とが各層３０，４０，５０の端縁において連結され、第１構成部品６０ｂを構成しており、第１方向ｄ１に沿った一側から３番目の無線ＩＣタグ構成要素２０ａの第１の層３０及び第２の層４０と、４番目の無線ＩＣタグ構成要素２０ｂの絶縁層５０とが各層３０，４０，５０の端縁において連結され、第１構成部品６０ｃを構成している。
【００３０】
図５は、無線ＩＣタグ構成要素積層体１０に組み込まれておらず、且つ、ＩＣチップ３２及びアンテナ回路３５が無線ＩＣタグとして無効化されている状態の第１構成部品６０を示す断面図である。第１構成部品６０は、第１の層３０、第２の層４０及び絶縁層５０をこの順に有しており、各層３０，４０，５０は、その端縁において互いに連結されている。とりわけ図示された例では、各層３０，４０，５０は、１つの端縁において互いに連結されている。第１の層３０は、ＩＣチップ３２及び粘着層２８が第２の層４０に対面するようにして配置され、第２の層４０は、アンテナ回路３５が第１の層３０に対面するようにして配置されている。
【００３１】
図６Ａ及び図６Ｂに、第１の層３０と第２の層４０とが互いに直接積層され、これによりＩＣチップ３２とアンテナ回路３５とが接触し、ＩＣチップ３２及びアンテナ回路３５が無線ＩＣタグとして有効化された状態の第１構成部品６０を示す。図６Ａは、第１構成部品６０を示す平面図であり、図６Ｂは、第１構成部品６０の断面を示す図であって、図６ＡのＶＩＢ−ＶＩＢ線に対応する断面図である。
【００３２】
図示された例において、第１の層３０は粘着層２８を介して第２の層４０に積層されている。これにより、第１の層３０のＩＣチップ３２は、第２の層のアンテナ回路３５の電極部３５ａに接触した状態で保持される。したがって、ＩＣチップ３２及びアンテナ回路３５は無線ＩＣタグとして機能するようになる。すなわちＩＣチップ３２及びアンテナ回路３５が無線ＩＣタグとして有効化される。
【００３３】
ところで、図２に示された例では、無線ＩＣタグ構成要素積層体１０は、第１方向ｄ１に沿って最も一側に位置する無線ＩＣタグ構成要素２０ａの第１方向ｄ１に沿った一側に、無線ＩＣタグ層２５を有している。とりわけ図示された例では、無線ＩＣタグ層２５は、無線ＩＣタグ構成要素２０ａの第１の層３０の、第１方向ｄ１に沿った一側に配置されている。無線ＩＣタグ層２５は、ＩＣチップと、ＩＣチップと接続されたアンテナ回路とを有しており、無線ＩＣタグとして機能する層である。
【００３４】
図２に示された例では、無線ＩＣタグ層２５と無線ＩＣタグ構成要素２０ａの絶縁層５０とが各層２５，５０の端縁において連結され、第２構成部品６１を構成している。また、無線ＩＣタグ構成要素積層体１０は、第１方向ｄ１に沿って最も他側に位置する無線ＩＣタグ構成要素２０ｄの絶縁層５０を挟むようにして、第１の層３０及び第２の層４０が設けられており、当該第１の層３０及び第２の層４０が各層３０，４０の端縁において連結され、第３構成部品６２を構成している。第３構成部品６２の第１の層３０は、無線ＩＣタグ構成要素２０ｄの絶縁層５０の第１方向ｄ１に沿った一側に配置されている。すなわち、第３構成部品６２の第１の層３０は、無線ＩＣタグ構成要素２０ｄの第２の層４０と絶縁層５０との間に配置されている。また、第３構成部品６２の第２の層４０は、無線ＩＣタグ構成要素２０ｄの絶縁層５０の第１方向ｄ１に沿った他側に配置されている。
【００３５】
次に、図７を参照して、図２に示された無線ＩＣタグ構成要素積層体１０の製造方法の一例について説明する。なお、図７では、理解を容易にするために、各構成部品６０，６１，６２に含まれる無線ＩＣタグ層２５、第１の層３０、第２の層４０及び絶縁層５０をそれぞれ単純な直線で図示している。また、一部の第１構成部品６０を、他の構成部品６０，６１，６２から区別して視認しやすくするために、破線で示している。
【００３６】
図７に示されているように、第１構成部品６０ｃの第１の層３０と第２の層４０との間に、第１構成部品６０ｂの絶縁層５０が挟み込まれ、第１構成部品６０ｂの第１の層３０と第２の層４０との間に、第１構成部品６０ａの絶縁層５０が挟み込まれるようにして、第１構成部品６０ａ，６０ｂ，６０ｃを重ね合わせる。さらに、図示された例では、第１構成部品６０ａの第１の層３０と第２の層４０との間に、第２構成部品６１の絶縁層５０が挟み込まれ、第３構成部品６２の第１の層３０と第２の層４０との間に、第１構成部品６０ｃの絶縁層５０が挟み込まれるようにする。この状態で、第１構成部品６０ａ，６０ｂ，６０ｃ、第２構成部品６１及び第３構成部品６２を、第１方向ｄ１に沿って互いに押圧して積層することにより、無線ＩＣタグ構成要素積層体１０を製造することができる。なお、図示された例において、第１方向ｄ１に沿って隣り合う２つの層２５，３０，４０，５０を、粘着層等を介して互いに剥離可能に固定してもよい。
【００３７】
次に、図２及び図８Ａ〜８Ｃを参照して、無線ＩＣタグ構成要素２０のＩＣチップ３２及びアンテナ回路３５を無線ＩＣタグとして機能させる方法、すなわち無線ＩＣタグの有効化方法について説明する。
【００３８】
図２に示した例において、第２構成部品６１の無線ＩＣタグ層２５には、互いに接続されたＩＣチップ及びアンテナ回路が含まれており、このＩＣチップ及びアンテナ回路が無線ＩＣタグとして機能している。一方、各無線ＩＣタグ構成要素２０（２０ａ〜２０ｄ）の第１の層３０に含まれるＩＣチップ３２と第２の層４０に含まれるアンテナ回路３５とは、絶縁層５０を介して電気的に絶縁されており、これにより、無線ＩＣタグ構成要素２０ａ〜２０ｄのＩＣチップ３２及びアンテナ回路３５は、無線ＩＣタグとしては機能しない。すなわち、無線ＩＣタグ構成要素２０ａ〜２０ｄのＩＣチップ３２及びアンテナ回路３５は、無線ＩＣタグとして無効化されている。したがって、図２に示された無線ＩＣタグ構成要素積層体１０は、リーダ・ライタ等の外部の装置からの無線信号により、無線ＩＣタグ層２５のＩＣチップへの情報の書込み及びＩＣチップからの情報の読出しは可能である一方、無線ＩＣタグ構成要素２０ａ〜２０ｄのＩＣチップ３２への情報の書込み及びＩＣチップ３２からの情報の読出しは不可能となっている。これにより、無線ＩＣタグ構成要素積層体１０内の複数の無線ＩＣタグが、外部の装置からの無線信号に反応してしまうことを防止することができる。
【００３９】
無線ＩＣタグ層２５に代えて無線ＩＣタグ構成要素２０ａのＩＣチップ３２及びアンテナ回路３５を無線ＩＣタグとして機能させるためには、まず、図８Ａに示すように、第２構成部品６１の無線ＩＣタグ層２５を、無線ＩＣタグ構成要素２０ａから剥離する。とりわけ第２構成部品６１の無線ＩＣタグ層２５を、無線ＩＣタグ構成要素２０ａの第１の層３０から剥離する。
【００４０】
次に、無線ＩＣタグ構成要素２０ａから当該無線ＩＣタグ構成要素２０ａの絶縁層５０を除去する。図８Ｂに示された例では、無線ＩＣタグ構成要素２０ａの絶縁層５０を、当該絶縁層５０のシート面と平行な方向に沿って、当該無線ＩＣタグ構成要素２０ａの第１の層３０と第２の層４０との間から引き抜くことにより、この絶縁層５０が除去される。図示された例では、第２構成部品６１を、当該第２構成部品６１の絶縁層５０のシート面と平行な方向に沿って、無線ＩＣタグ構成要素２０ａの第１の層３０と第２の層４０との間から引き抜くことにより、絶縁層５０が無線ＩＣタグ層２５とともに除去される。
【００４１】
次に、図８Ｃに示すように、絶縁層５０が除去された無線ＩＣタグ構成要素２０ａの第１の層３０を第２の層４０上に直接積層する。第１の層３０は、粘着層２８を介して第２の層４０に固定される。これにより、無線ＩＣタグ構成要素２０ａの第１の層３０のＩＣチップ３２は、第２の層４０のアンテナ回路３５の電極部３５ａに接触した状態で保持される（図６Ｂ参照）。したがって、無線ＩＣタグ構成要素２０ａのＩＣチップ３２及びアンテナ回路３５は無線ＩＣタグとして機能するようになる。すなわち無線ＩＣタグ構成要素２０ａのＩＣチップ３２及びアンテナ回路３５が無線ＩＣタグとして有効化される。
【００４２】
図８Ｃに示された無線ＩＣタグ構成要素積層体１０では、無線ＩＣタグ構成要素２０ａのＩＣチップ３２及びアンテナ回路３５が互いに接続されており、無線ＩＣタグ構成要素２０ａのＩＣチップ３２及びアンテナ回路３５が無線ＩＣタグとして機能している。一方、無線ＩＣタグ構成要素２０ｂ〜２０ｄの第１の層３０に含まれるＩＣチップ３２と第２の層４０に含まれるアンテナ回路３５とは、絶縁層５０を介して電気的に絶縁されている。これにより、無線ＩＣタグ構成要素２０ｂ〜２０ｄのＩＣチップ３２及びアンテナ回路３５は、無線ＩＣタグとしては機能しない。したがって、図示された無線ＩＣタグ構成要素積層体１０は、リーダ・ライタ等の外部の装置からの無線信号により、無線ＩＣタグ構成要素２０ａのＩＣチップ３２への情報の書込み及びＩＣチップ３２からの情報の読出しは可能である一方、無線ＩＣタグ構成要素２０ｂ〜２０ｄのＩＣチップ３２への情報の書込み及びＩＣチップ３２からの情報の読出しは不可能となっている。これにより、図示された無線ＩＣタグ構成要素積層体１０においても、当該無線ＩＣタグ構成要素積層体１０内の複数の無線ＩＣタグが、外部の装置からの無線信号に反応してしまうことが防止される。
【００４３】
無線ＩＣタグ構成要素２０ａに代えて無線ＩＣタグ構成要素２０ｂのＩＣチップ３２及びアンテナ回路３５を無線ＩＣタグとして機能させるためには、無線ＩＣタグ構成要素２０ａの第１の層３０及び第２の層４０を、無線ＩＣタグ構成要素２０ｂから剥離する。とりわけ無線ＩＣタグ構成要素２０ａの第１の層３０及び第２の層４０を、無線ＩＣタグ構成要素２０ｂの第１の層３０から剥離する。
【００４４】
次に、無線ＩＣタグ構成要素２０ｂから当該無線ＩＣタグ構成要素２０ｂの絶縁層５０を除去する。無線ＩＣタグ構成要素２０ｂの絶縁層５０を、当該絶縁層５０のシート面と平行な方向に沿って、当該無線ＩＣタグ構成要素２０ｂの第１の層３０と第２の層４０との間から引き抜くことにより、この絶縁層５０が除去される。ここでは、第１構成部品６０ａを、当該第１構成部品６０ａの絶縁層５０のシート面と平行な方向に沿って、無線ＩＣタグ構成要素２０ｂの第１の層３０と第２の層４０との間から引き抜くことにより、絶縁層５０が第１構成部品６０ａの第１の層３０及び第２の層４０とともに除去される。
【００４５】
次に、絶縁層５０が除去された無線ＩＣタグ構成要素２０ｂの第１の層３０を第２の層４０上に直接積層する。第１の層３０は、粘着層２８を介して第２の層４０に固定される。これにより、無線ＩＣタグ構成要素２０ｂの第１の層３０のＩＣチップ３２は、第２の層のアンテナ回路３５の電極部３５ａに接触した状態で保持される。したがって、無線ＩＣタグ構成要素２０ｂのＩＣチップ３２及びアンテナ回路３５は無線ＩＣタグとして機能するようになる。すなわち無線ＩＣタグ構成要素２０ｂのＩＣチップ３２及びアンテナ回路３５が無線ＩＣタグとして有効化される。
【００４６】
無線ＩＣタグ構成要素２０ｂが無線ＩＣタグとして有効化された無線ＩＣタグ構成要素積層体１０では、無線ＩＣタグ構成要素２０ｂのＩＣチップ３２及びアンテナ回路３５が互いに接続されており、無線ＩＣタグ構成要素２０ｂのＩＣチップ３２及びアンテナ回路３５が無線ＩＣタグとして機能している。一方、無線ＩＣタグ構成要素２０ｃ，２０ｄの第１の層３０に含まれるＩＣチップ３２と第２の層４０に含まれるアンテナ回路３５とは、絶縁層５０を介して電気的に絶縁されている。これにより、無線ＩＣタグ構成要素２０ｃ，２０ｄのＩＣチップ３２及びアンテナ回路３５は、無線ＩＣタグとしては機能しない。したがって、この無線ＩＣタグ構成要素積層体１０は、リーダ・ライタ等の外部の装置からの無線信号により、無線ＩＣタグ構成要素２０ｂのＩＣチップ３２への情報の書込み及びＩＣチップ３２からの情報の読出しは可能である一方、無線ＩＣタグ構成要素２０ｃ，２０ｄのＩＣチップ３２への情報の書込み及びＩＣチップ３２からの情報の読出しは不可能となっている。これにより、この無線ＩＣタグ構成要素積層体１０においても、当該無線ＩＣタグ構成要素積層体１０内の複数の無線ＩＣタグが、外部の装置からの無線信号に反応してしまうことが防止される。
【００４７】
以上の工程を繰り返すことにより、無線ＩＣタグ構成要素２０ｃ，２０ｄのＩＣチップ３２及びアンテナ回路３５が、順次無線ＩＣタグとして有効化される。
【００４８】
なお、第２構成部品６１の無線ＩＣタグ層２５、並びに、無線ＩＣタグ構成要素２０ａ〜２０ｄの第１の層３０及び第２の層４０の剥離は、作業員が手で剥がすようにして行ってもよいし、何らかの装置により自動で剥離されるようにして行ってもよい。また、絶縁層５０の除去は、作業員が手で絶縁層５０を引き抜くようにして行ってもよいし、何らかの装置により自動で絶縁層５０を引き抜くようにして行ってもよい。
【００４９】
本実施の形態の無線ＩＣタグ構成要素２０は、ＩＣチップ３２を含む第１の層３０と、ＩＣチップ３２と接続されて無線ＩＣタグを構成するアンテナ回路３５を含む第２の層４０と、第１の層３０と第２の層４０との間に配置され、第１の層３０と第２の層４０との間から除去可能に構成された絶縁層５０と、を有する。
【００５０】
また、本実施の形態の無線ＩＣタグの有効化方法は、上述の無線ＩＣタグ構成要素２０から絶縁層５０を除去し、ＩＣチップ３２とアンテナ回路３５とを接続して、ＩＣチップ３２及びアンテナ回路３５を無線ＩＣタグとして機能させる。
【００５１】
この無線ＩＣタグ構成要素２０及び無線ＩＣタグの有効化方法では、第１の層３０と第２の層４０との間に絶縁層５０が配置された状態では、当該無線ＩＣタグ構成要素２０を無線ＩＣタグとして機能しない状態にすることができる。すなわち当該無線ＩＣタグ構成要素２０を無線ＩＣタグとして無効化しておくことができる。
【００５２】
一方、第１の層３０と第２の層４０との間から絶縁層５０を除去すると、第１の層３０に含まれるＩＣチップ３２と、第２の層４０に含まれるアンテナ回路３５とを接触させることができる。これにより、当該無線ＩＣタグ構成要素２０を無線ＩＣタグとして機能する状態にすることができる。すなわち当該無線ＩＣタグ構成要素２０を無線ＩＣタグとして有効化することができる。
【００５３】
したがって、本実施の形態の無線ＩＣタグ構成要素２０及び無線ＩＣタグの有効化方法によれば、無線ＩＣタグ構成要素２０を無線ＩＣタグとして有効化するか無効化するかを選択することが可能になる。また、とりわけ１つの製品５に複数の無線ＩＣタグ構成要素２０が貼付されている場合に、複数の無線ＩＣタグ構成要素２０のうち１つの無線ＩＣタグ構成要素２０のみを有効化し、他の無線ＩＣタグ構成要素２０を無効化することによって、リーダ・ライタ等の外部の装置からの無線信号により、有効化されている無線ＩＣタグ構成要素２０のみＩＣチップ３２への情報の書込み及びＩＣチップ３２からの情報の読出しを可能とする一方、他の無効化されている無線ＩＣタグ構成要素２０のＩＣチップ３２への情報の書込み及びＩＣチップ３２からの情報の読出しを不可能とすることができる。これにより、複数の無線ＩＣタグ構成要素２０が、外部の装置からの無線信号に対してそれぞれ無線ＩＣタグとして反応してしまうことを防止することができる。
【００５４】
また、本実施の形態の無線ＩＣタグ構成要素２０では、第１の層３０における絶縁層５０に対面する面、及び、第２の層４０における絶縁層５０に対面する面、の少なくとも一方に粘着層２８が設けられている。
【００５５】
さらに、本実施の形態の無線ＩＣタグ構成要素２０では、粘着層２８は、少なくとも、ＩＣチップ３２とアンテナ回路３５との接続部を除いて設けられている。
【００５６】
このような無線ＩＣタグ構成要素２０によれば、第１の層３０に含まれるＩＣチップ３２を、第２の層４０に含まれるアンテナ回路３５に接触した状態で、適切に保持することができる。
【００５７】
本実施の形態の無線ＩＣタグ構成要素積層体１０は、第１方向ｄ１に沿って複数の無線ＩＣタグ構成要素２０が積層された無線ＩＣタグ構成要素積層体１０であって、各無線ＩＣタグ構成要素２０は、上述の無線ＩＣタグ構成要素２０である。
【００５８】
このような無線ＩＣタグ構成要素積層体１０によれば、複数の無線ＩＣタグ構成要素２０を積層しているので、製品５上の小さな領域に、複数の無線ＩＣタグ構成要素２０を配置することができる。すなわち、複数の無線ＩＣタグ構成要素２０の配置スペースを効果的に削減することができる。
【００５９】
また、本実施の形態の無線ＩＣタグ構成要素積層体１０では、第１方向ｄ１に沿った一側からｎ番目の無線ＩＣタグ構成要素２０の第１の層３０及び第２の層４０と、ｎ＋１番目の無線ＩＣタグ構成要素２０の絶縁層５０とが連結されている。
【００６０】
このような無線ＩＣタグ構成要素積層体１０によれば、第１方向ｄ１に沿った一側からｎ番目の無線ＩＣタグ構成要素２０の第１の層３０及び第２の層４０の除去と、ｎ＋１番目の無線ＩＣタグ構成要素２０の絶縁層５０の除去とを同時に行うことができるので、無線ＩＣタグ構成要素２０の無線ＩＣタグとしての有効化を、簡便な工程で且つ迅速に行うことができる。
【００６１】
なお、上述した実施の形態に対して様々な変更を加えることが可能である。以下、図面を適宜参照しながら、変形例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００６２】
図９Ａ及び図９Ｂに、無線ＩＣタグ構成要素２０の変形例を示す。図９Ａは、当該変形例に係る無線ＩＣタグ構成要素２０の第１の層３０を示す平面図であり、図９Ｂは、当該変形例に係る無線ＩＣタグ構成要素２０の第２の層４０を示す平面図である。
【００６３】
図９Ａに示された第１の層３０は、基材３１と、ＩＣチップ３２と、ＩＣチップ３２と接続されておりアンテナ回路３５の一部をなす第１回路３６と、を有している。ＩＣチップ３２及び第１回路３６は、基材３１の第２の層４０と対面する側の面上に設けられている。第１回路３６は、図４に示された上述の形態のアンテナ回路３５の一部を欠いた形状を有しており、第１回路３６の端部には、後述の第２回路３７との接続部をなす電極部３６ａが設けられている。
【００６４】
図９Ｂに示された第２の層４０は、基材４１と、第１の層３０の第１回路３６と接続されて第１回路３６とともにアンテナ回路３５を構成する第２回路３７と、を有している。第２回路３７は、基材４１の第１の層３０と対面する側の面上に設けられている。第２回路３７は、第１回路３６における、アンテナ回路３５の欠けている部分を補う形状を有しており、第２回路３７の端部には、第１回路３６との接続部をなす電極部３７ａが設けられている。また、第２の層４０の第１の層３０と対面する側の面上には、第１回路３６と第２回路３７との接続部を除いて、粘着層２８が設けられている。
【００６５】
本変形例では、上述の実施の形態において図８Ｃを参照して説明した工程において、絶縁層５０が除去された無線ＩＣタグ構成要素２０の第１の層３０を第２の層４０上に直接積層することにより、第１の層３０が、粘着層２８を介して第２の層４０に固定される。これにより、無線ＩＣタグ構成要素２０の第１の層３０の第１回路３６の電極部３６ａが、第２の層４０の第２回路３７の電極部３７ａに接触した状態で保持される。したがって、無線ＩＣタグ構成要素２０のＩＣチップ３２、及び、互いに電気的に接続された第１回路３６と第２回路３７とからなるアンテナ回路３５は、無線ＩＣタグとして機能するようになる。すなわち無線ＩＣタグ構成要素２０のＩＣチップ３２及びアンテナ回路３５が無線ＩＣタグとして有効化される。
【００６６】
本変形例に係る無線ＩＣタグ構成要素２０は、ＩＣチップ３２と、ＩＣチップ３２と接続されておりアンテナ回路３５の一部をなす第１回路３６とを含む第１の層３０と、第１回路３６と接続されて第１回路３６とともにアンテナ回路３５を構成する第２回路３７を含む第２の層４０と、第１の層３０と第２の層４０との間に配置され、第１の層３０と第２の層４０との間から除去可能に構成された絶縁層５０と、を有する。
【００６７】
また、本変形例に係る無線ＩＣタグの有効化方法は、上述の無線ＩＣタグ構成要素２０から絶縁層５０を除去し、第１回路３６と第２回路３７とを接続して、ＩＣチップ３２、第１回路３６及び第２回路３７を無線ＩＣタグとして機能させる。
【００６８】
このような無線ＩＣタグ構成要素２０及び無線ＩＣタグの有効化方法によっても、第１の層３０と第２の層４０との間に絶縁層５０が配置された状態では、当該無線ＩＣタグ構成要素２０を無線ＩＣタグとして機能しない状態にすることができる。すなわち当該無線ＩＣタグ構成要素２０を無線ＩＣタグとして無効化しておくことができる。
【００６９】
一方、第１の層３０と第２の層４０との間から絶縁層５０を除去すると、第１の層３０に含まれる第１回路３６と、第２の層４０に含まれる第２回路３７とを接触させることができる。これにより、当該無線ＩＣタグ構成要素２０を無線ＩＣタグとして機能する状態にすることができる。すなわち当該無線ＩＣタグ構成要素２０を無線ＩＣタグとして有効化することができる。
【００７０】
したがって、本変形例に係る無線ＩＣタグ構成要素２０及び無線ＩＣタグの有効化方法によれば、無線ＩＣタグ構成要素２０を無線ＩＣタグとして有効化するか無効化するかを選択することが可能になる。また、とりわけ１つの製品５に複数の無線ＩＣタグ構成要素２０が貼付されている場合に、複数の無線ＩＣタグ構成要素２０のうち１つの無線ＩＣタグ構成要素２０のみを有効化し、他の無線ＩＣタグ構成要素２０を無効化することによって、リーダ・ライタ等の外部の装置からの無線信号により、有効化されている無線ＩＣタグ構成要素２０のみＩＣチップ３２への情報の書込み及びＩＣチップ３２からの情報の読出しを可能とする一方、他の無効化されている無線ＩＣタグ構成要素２０のＩＣチップ３２への情報の書込み及びＩＣチップ３２からの情報の読出しを不可能とすることができる。これにより、複数の無線ＩＣタグ構成要素２０が、外部の装置からの無線信号に対してそれぞれ無線ＩＣタグとして反応してしまうことを防止することができる。
【００７１】
また、本変形例に係る無線ＩＣタグ構成要素２０では、第１の層３０における絶縁層５０に対面する面、及び、第２の層４０における絶縁層５０に対面する面、の少なくとも一方に粘着層２８が設けられている。
【００７２】
さらに、本変形例に係る無線ＩＣタグ構成要素２０では、粘着層２８は、少なくとも、第１回路３６と第２回路３７との接続部を除いて設けられている。
【００７３】
このような無線ＩＣタグ構成要素２０によれば、第１の層３０に含まれるＩＣチップ３２を、第２の層４０に含まれるアンテナ回路３５に接触した状態で、適切に保持することができる。
【００７４】
他の変形例として、無線ＩＣタグ構成要素積層体１０は、第１方向ｄ１に沿った一側からの観察において、少なくとも１つの無線ＩＣタグ構成要素２０のＩＣチップ３２の配置位置は、他のいずれかの無線ＩＣタグ構成要素２０のＩＣチップ３２の配置位置と異なっていてもよい。
【００７５】
ＩＣチップ３２は、アンテナ回路３５と比較して大きな厚みを有し得る。また、ＩＣチップ３２とアンテナ回路３５とが第１方向（無線ＩＣタグ構成要素２０の厚み方向）ｄ１に沿って積層されて接続する場合、この接続箇所におけるＩＣチップ３２及びアンテナ回路３５の合計厚みはさらに大きくなる。
【００７６】
本変形例に係る無線ＩＣタグ構成要素２０では、第１方向ｄ１に沿った一側からの観察において、すなわち無線ＩＣタグ構成要素２０の平面視において、ＩＣチップ３２の配置位置は、他のいずれかの無線ＩＣタグ構成要素２０のＩＣチップ３２の配置位置と異なっているので、大きな厚みを有し得るＩＣチップ３２が、無線ＩＣタグ構成要素２０の平面視において１つの箇所に集中することを防止し、無線ＩＣタグ構成要素積層体１０の全体の厚みにアンバランスが生じることを効果的に抑制することができる。
【００７７】
なお、以上において上述した実施の形態に対するいくつかの変形例を説明してきたが、当然に、複数の変形例を適宜組み合わせて適用することも可能である。
【符号の説明】
【００７８】
５  製品
１０  無線ＩＣタグ構成要素積層体
２０  無線ＩＣタグ構成要素
２５  無線ＩＣタグ層
２８  粘着層
３０  第１の層
３１  基材
３２  ＩＣチップ
３５  アンテナ回路
３６  第１回路
３６ａ  電極部
３７  第２回路
３７ａ  電極部
４０  第２の層
４１  基材
５０  絶縁層
６０  第１構成部品
６１  第２構成部品
６２  第３構成部品
【図１】
2018061122.tif 000003
【図２】
2018061122.tif 000004
【図３Ａ】
2018061122.tif 000005
【図３Ｂ】
2018061122.tif 000006
【図４Ａ】
2018061122.tif 000007
【図４Ｂ】
2018061122.tif 000008
【図５】
2018061122.tif 000009
【図６Ａ】
2018061122.tif 000010
【図６Ｂ】
2018061122.tif 000011
【図７】
2018061122.tif 000012
【図８Ａ】
2018061122.tif 000013
【図８Ｂ】
2018061122.tif 000014
【図８Ｃ】
2018061122.tif 000015
【図９Ａ】
2018061122.tif 000016
【図９Ｂ】
2018061122.tif 000017